【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
（ａ）熱分解グラファイト製の第１の平面状要素を含み、
前記第１の平面状要素は、当該第１の平面状要素の第１の面の第１の横寸法の方向および当該第１の平面状要素の厚さ方向において相対的に高い熱伝導度を有し、当該第１の平面状要素の第２の横寸法の方向において相対的に低い熱伝導度を有し、
前記第１の平面状要素は、当該第１の平面状要素の前記第１の面外の方向に伸びる第１の側面と、当該第１の平面状要素の相対的に高い熱伝導度の方向に伸びる第２の側面とを有し、
（ｂ）さらに、熱分解グラファイト製の第２の平面状要素を含み、
前記第２の平面状要素は、当該第２の平面状要素の第２の面の第１の横寸法の方向および当該第２の平面状要素の厚さ方向において相対的に高い熱伝導度を有し、当該第２の平面状要素の第２の横寸法の方向において相対的に低い熱伝導度を有し、
前記第２の平面状要素は、当該第２の平面状要素の前記第２の面外の方向に伸びる第３の側面と、当該第２の平面状要素の相対的に高い熱伝導度の方向に伸びる第４の側面とを有し、
前記第１の平面状要素の前記第１の面外の方向に伸びる前記第１の平面状要素の前記第１の側面の少なくとも一部は、前記第２の平面状要素の前記第２の面外の方向に伸びる前記第２の平面状要素の前記第３の側面の少なくとも一部に隣接し、
（ｃ）さらに、熱分解グラファイト製の第３の平面状要素を含み、
前記第３の平面状要素は、当該第３の平面状要素の第３の面の第１の横寸法の方向および当該第３の平面状要素の厚さ方向において相対的に高い熱伝導度を有し、当該第３の平面状要素の第２の横寸法の方向において相対的に低い熱伝導度を有し、
前記第３の平面状要素は、当該第３の平面状要素の相対的に高い熱伝導度の方向に伸びる第５の側面を有し、
前記第３の平面状要素の前記第５の側面は、前記第１の平面状要素の前記第２の側面および前記第２の平面状要素の前記第４の側面に隣接しており、
前記第１の平面状要素および前記第２の平面状要素の相対的に低い熱伝導度の方向の方位は、前記第３の平面状要素の相対的に低い熱伝導度の方向の方位に対して、異なる角度にあるものである、
熱拡散器。
【請求項２】
（ａ）熱分解グラファイト製の第１の平面状要素を含み、
前記第１の平面状要素は、当該第１の平面状要素の第１の面の第１の横寸法の方向および当該第１の平面状要素の厚さ方向において相対的に高い熱伝導度を有し、当該第１の平面状要素の第２の横寸法の方向において相対的に低い熱伝導度を有し、
前記第１の平面状要素の前記第１の面の前記第１の横寸法の方向および前記第１の平面状要素の前記厚さ方向は、実質的に前記第１の平面状要素の熱分解グラファイトの各ａ軸の方位の各方向に伸びており、
前記第１の平面状要素の前記第２の横寸法の方向は、実質的に前記第１の平面状要素の熱分解グラファイトのｃ軸方向に伸びており、
前記第１の平面状要素は、当該第１の平面状要素の前記第１の面外の方向に伸びる第１の側面と、当該第１の平面状要素の相対的に高い熱伝導度の方向に伸びる第２の側面とを有し、
（ｂ）さらに、熱分解グラファイト製の第２の平面状要素を含み、
前記第２の平面状要素は、当該第２の平面状要素の第２の面の第１の横寸法の方向および当該第２の平面状要素の厚さ方向において相対的に高い熱伝導度を有し、当該第２の平面状要素の第２の横寸法の方向において相対的に低い熱伝導度を有し、
前記第２の平面状要素の前記第２の面の前記第１の横寸法の方向および前記第２の平面状要素の前記厚さ方向は、実質的に前記第２の平面状要素の熱分解グラファイトの各ａ軸の方位の各方向に伸びており、
前記第２の平面状要素の前記第２の横寸法の方向は、実質的に前記第２の平面状要素の熱分解グラファイトのｃ軸方向に伸びており、
前記第２の平面状要素は、当該第２の平面状要素の前記第２の面外の方向に伸びる第３の側面と、当該第２の平面状要素の相対的に高い熱伝導度の方向に伸びる第４の側面とを有し、
前記第１の平面状要素の前記第１の面外の方向に伸びる前記第１の平面状要素の前記第１の側面の少なくとも一部は、前記第２の平面状要素の前記第２の面外の方向に伸びる前記第２の平面状要素の前記第３の側面の少なくとも一部に隣接しており、
（ｃ）さらに、熱分解グラファイト製の第３の平面状要素を含み、
前記第３の平面状要素は、当該第３の平面状要素の第３の面の第１の横寸法の方向および当該第３の平面状要素の厚さ方向において相対的に高い熱伝導度を有し、当該第３の平面状要素の第２の横寸法の方向において相対的に低い熱伝導度を有し、
前記第３の平面状要素の前記第３の面の前記第１の横寸法の方向および前記第３の平面状要素の前記厚さ方向は、実質的に前記第３の平面状要素の熱分解グラファイトの各ａ軸の方位の各方向に伸びており、
前記第３の平面状要素の前記第２の横寸法の方向は、実質的に当該第３の平面状要素の熱分解グラファイトのｃ軸方向に伸びており、
前記第３の平面状要素は、当該第３の平面状要素の相対的に高い熱伝導度の方向に伸びる第５の側面を有し、
前記第３の平面状要素の前記第５の側面は、前記第１の平面状要素の前記第２の側面および前記第２の平面状要素の前記第４の側面に隣接しており、
前記第１の平面状要素の相対的に低い熱伝導度の方向の方位は、前記第３の平面状要素の相対的に低い熱伝導度の方向に対して、異なる角度にあるものである、
熱拡散器。
【請求項３】
前記第１の平面状要素の前記第１の側面および前記第２の平面状要素の前記第３の側面の各々は、それぞれ前記第２の横寸法の方向に第１の距離だけ前記第１の側面および前記第３の側面の各々から離れた反対側の実質的に平行な側面を有し、
前記第１の平面状要素の前記第２の側面および前記第２の平面状要素の前記第４の側面の各々は、それぞれ前記第１の横寸法の方向に第２の距離だけ前記第１の側面および前記第３の側面の各々から離れて反対側の実質的に平行な側面を有し、
前記第１の平面状要素の前記第１の側面は、前記第１の平面状要素の前記第２の側面に対して直交しており、
前記第２の平面状要素の前記第３の側面は、前記第２の平面状要素の前記第４の側面に対して直交しているものである、
請求項２に記載の熱拡散器。
【請求項４】
前記第１の平面状要素の前記第１の側面は、実質的に同一の拡がりで前記第２の平面状要素の前記第３の側面に隣接しているものである、請求項３に記載の熱拡散器。
【請求項５】
前記第３の平面状要素の前記第５の側面は、前記第１の平面状要素の前記第１の側面から前記第１の平面状要素の前記第１の側面とは反対側の側面に向かって伸びており、また前記第２の平面状要素の前記第３の側面から前記第２の平面状要素の前記第３の側面とは反対側の側面に向かって伸びているものである、
請求項４に記載の熱拡散器。
【請求項６】
前記第３の平面状要素は、当該第３の平面状要素の前記第５の側面に対して実質的に垂直な第６の側面を有し、
前記熱拡散器は、さらに、熱分解グラファイト製の第４の平面状要素を含み、
前記第４の平面状要素は、当該第４の平面状要素の第４の面の第１の横寸法の方向および前記第４の平面状要素の厚さ方向において相対的に高い熱伝導度を有し、当該第４の平面状要素の第２の横寸法の方向において相対的に低い熱伝導度を有し、
前記第４の平面状要素の前記第４の面の前記第１の横寸法の方向および前記第４の平面状要素の前記厚さ方向は、実質的に前記第４の平面状要素の熱分解グラファイトの各ａ軸の方位の各方向に伸びており、
前記第４の平面状要素の前記第２の横寸法の方向は、実質的に前記第３の平面状要素の熱分解グラファイトのｃ軸方向に伸びており、
前記第４の平面状要素は、当該第４の平面状要素の相対的に高い熱伝導度の方向に伸びる第７の側面を有し、
前記第４の平面状要素の前記第７の側面は、前記第１の平面状要素の前記第２の側面および前記第２の平面状要素の前記第４の側面に隣接しており、
前記第１の平面状要素および前記第２の平面状要素の相対的に低い熱伝導度の方向の方位は、前記第４の平面状要素の相対的低い熱伝導度の方向に対して、異なる角度にあり、
前記第４の平面状要素は、前記第３の平面状要素の前記第６の側面に同一の拡がりで隣接し前記第７の側面に対して実質的に垂直な第８の側面を有するものである、
請求項５に記載の熱拡散器。
【請求項７】
前記第２の平面状要素は、当該第２の平面状要素の前記第３の側面とは反対側の側面を有し、
前記熱拡散器は、さらに、熱分解グラファイト製の第４の平面状要素を含み、
前記第４の平面状要素は、当該第４の平面状要素の第４の面の第１の横寸法の方向および当該第４の平面状要素の厚さ方向において相対的に高い熱伝導度を有し、当該第４の平面状要素の第２の横寸法の方向において相対的に低い熱伝導度を有し、
前記第４の平面状要素の前記第４の面の前記第１の横寸法の方向および前記第４の平面状要素の前記厚さ方向は、実質的に前記第４の平面状要素の熱分解グラファイトの各ａ軸の方位の各方向に伸びており、
前記第４の平面状要素の前記第２の横寸法の方向は、実質的に前記第４の平面状要素の熱分解グラファイトのｃ軸方向に伸びており、
前記第４の平面状要素は、当該第４の平面状要素の前記第４の面外の方向に伸びる第７の側面と、当該第４の平面状要素の相対的に高い熱伝導度の方向に伸びる第８の側面とを有し、
前記第４の平面状要素の前記第４の面外の方向に伸びる前記第４の平面状要素の前記第７の側面の少なくとも一部は、前記第２の平面状要素の前記第２の面外の方向に伸びる前記第２の平面状要素の前記第３の側面とは反対側の側面の少なくとも一部に隣接しているものである、
請求項４に記載の熱拡散器。
【請求項８】
前記熱拡散器は、さらに、前記第３の平面状要素および前記第４の平面状要素を横切って伸びる熱分解グラファイト製の第５の平面状要素を含み、
前記第５の平面状要素は、当該第５の平面状要素の第５の平面の第１の横寸法の方向および当該第５の平面状要素の厚さ方向において相対的に高い熱伝導度を有し、当該第５の平面状要素の第２の横寸法の方向において相対的に低い熱伝導度を有し、
前記第５の平面状要素は、当該第５の平面状要素の相対的に高い熱伝導度の方向に伸びる第９の側面を有し、
前記第５の平面状要素の前記第９の側面は、前記第３の平面状要素の前記第５の側面とは反対側にある前記第３の平面状要素の側面に隣接し、且つ前記第４の平面状要素の前記第７の側面とは反対側にある前記第４の平面状要素の側面に隣接しており、
前記第３の平面状要素および前記第４の平面状要素の相対的に低い熱伝導度の方向の方位は、前記第５の平面状要素の相対的に低い熱伝導度の方向に対して、異なる角度にあるものである、
請求項６に記載の熱拡散器。
【請求項９】
前記熱拡散器の前記第３の平面状要素上に電子装置が設けられており、前記熱拡散器は前記電子装置からの熱を伝導させるものであることを特徴とする、
前記電子装置と組合わされた、請求項１に記載の熱拡散器。
【請求項１０】
前記熱拡散器の前記第３の平面状要素上に電子装置が設けられており、前記熱拡散器は前記電子装置からの熱をヒートシンクに伝導させるものであることを特徴とする、
前記電子装置および前記ヒートシンクと組合わされた、請求項１に記載の熱拡散器。
【請求項１１】
前記熱拡散器が前記ヒートシンク上に設けられていることを特徴とする、
前記ヒートシンクと組合わされた、請求項１に記載の熱拡散器。
【請求項１２】
前記第１の平面状要素の前記第１の側面と前記第１の側面とは反対側の側面との間、および前記第２の平面状要素の前記第３の側面と前記第３の側面とは反対側の側面との間の第１の距離が、少なくとも約１．５ｍｍである、請求項３に記載の熱拡散器。
【請求項１３】
前記第１の平面状要素の前記第１の側面と前記第１の側面とは反対側の側面との間、および前記第２の平面状要素の前記第３の側面と前記第３の側面とは反対側の側面との間の第１の距離が、約１．５ｍｍ乃至約１．３ｃｍである、請求項３に記載の熱拡散器。
【請求項１４】
前記第１の平面状要素の前記第１の側面と前記第１の側面とは反対側の側面との間、および前記第２の平面状要素の前記第３の側面と前記第３の側面と反対側の側面との間の第１の距離が、約１．３ｃｍ乃至約２．５ｃｍである、請求項３に記載の熱拡散器。
【請求項１５】
前記第１の平面状要素の前記第２の側面と、前記第２の側面とは反対側の側面との間の第２の距離が、少なくとも約１．０ｃｍである、請求項３に記載の熱拡散器。
【請求項１６】
前記第１の平面状要素の前記第２の側面と、前記第２の側面とは反対側の側面との間の第２の距離が、約１．０ｃｍ乃至約４０ｃｍである、請求項３に記載の熱拡散器。
【請求項１７】
請求項１に記載の熱拡散器を製造する方法であって、
（ａ）熱分解グラファイト製の第１の平面状要素を供給する工程を含み、
前記第１の平面状要素は、当該第１の平面状要素の第１の面の第１の横寸法の方向および当該第１の平面状要素の厚さ方向において相対的に高い熱伝導度を有し、当該第１の平面状要素の第２の横寸法の方向において相対的に低い熱伝導度を有し、
前記第１の平面状要素は、当該第１の平面状要素の前記第１の面外の方向に伸びる第１の側面と、当該第１の平面状要素の相対的に高い熱伝導度の方向に伸びる第２の側面とを有し、
（ｂ）さらに、熱分解グラファイト製の第２の平面状要素を供給する工程を含み、
前記第２の平面状要素は、当該第２の平面状要素の第２の面の第１の横寸法の方向および当該第２の平面状要素の厚さ方向において相対的に高い熱伝導度を有し、当該第２の平面状要素の第２の横寸法の方向において相対的に低い熱伝導度を有し、
前記第２の平面状要素は、当該第２の平面状要素の前記第２の面外の方向に伸びる第３の側面と、当該第２の平面状要素の相対的に高い熱伝導度の方向に伸びる第４の側面とを有し、
（ｃ）さらに、前記第１の平面状要素の前記第１の面外の方向に伸びる前記第１の平面状要素の前記第１の側面の少なくとも一部を、前記第２の平面状要素の前記第２の面外の方向に伸びる前記第２の平面状要素の前記第３の側面の少なくとも一部に隣接させる工程と、
（ｄ）熱分解グラファイト製の第３の平面状要素を供給する工程と、
を含み、
前記第３の平面状要素は、当該第３の平面状要素の第３の面の第１の横寸法の方向および当該第３の平面状要素の厚さ方向において相対的に高い熱伝導度を有し、当該第３の平面状要素の第２の横寸法の方向において相対的に低い熱伝導度を有し、
前記第３の平面状要素は、当該第３の平面状要素の相対的に高い熱伝導度の方向に伸びる第５の側面を有し、
（ｅ）さらに、前記第１の平面状要素および前記第２の平面状要素の相対的に低い熱伝導度の方向の方位が前記第３の平面状要素の相対的に低い熱伝導度の方向に対して異なる角度になるように、前記第３の平面状要素の前記第５の側面を前記第１の平面状要素の前記第２の側面および前記第２の平面状要素の前記第４の側面に隣接させる工程を含む、
方法。
【請求項１８】
熱源からの熱を放散させる方法であって、
（ａ）熱拡散器を準備し、
前記熱拡散器は、
（ｉ）熱分解グラファイト製の第１の平面状要素を含み、
前記第１の平面状要素は、当該第１の平面状要素の第１の面の第１の横寸法の方向および当該第１の平面状要素の厚さ方向において相対的に高い熱伝導度を有し、当該第１の平面状要素の第２の横寸法の方向において相対的に低い熱伝導度を有し、
前記第１の平面状要素は、当該第１の平面状要素の前記第１の面外の方向に伸びる第１の側面と、当該第１の平面状要素の相対的に高い熱伝導度の方向に伸びる第２の側面とを有し、
（ii）さらに、熱分解グラファイト製の第２の平面状要素を含み、
前記第２の平面状要素は、当該第２の平面状要素の第２の面の第１の横寸法の方向および当該第２の平面状要素の厚さ方向において相対的に高い熱伝導度を有し、当該第２の平面状要素の第２の横寸法の方向において相対的に低い熱伝導度を有し、
前記第２の平面状要素は、当該第２の平面状要素の前記第２の面外の方向に伸びる第３の側面と、当該第２の平面状要素の相対的に高い熱伝導度の方向に伸びる第４の側面とを有し、
前記第１の平面状要素の前記第１の面外の方向に伸びる前記第１の平面状要素の前記第１の側面の少なくとも一部は、前記第２の平面状要素の前記第２の面外の方向に伸びる前記第２の平面状要素の前記第３の側面の少なくとも一部に隣接しており、
（iii）さらに、熱分解グラファイト製の第３の平面状要素を含み、
前記第３の平面状要素は、当該第３の平面状要素の第３の面の第１の横寸法の方向および当該第３の平面状要素の厚さ方向において相対的に高い熱伝導度を有し、当該第３の平面状要素の第２の横寸法の方向において相対的に低い熱伝導度を有し、
前記第３の平面状要素は、当該第３の平面状要素の相対的に高い熱伝導度の方向に伸びる第５の側面を有し、
前記第３の平面状要素の前記第５の側面は、前記第１の平面状要素の前記第２の側面および前記第２の平面状要素の前記第４の側面に隣接しており、
前記第１の平面状要素および前記第２の平面状要素の相対的に低い熱伝導度の方向の方位は、前記第３の平面状要素の相対的に低い熱伝導度の方向に対して、異なる角度にあるものであり、
（ｂ）さらに、前記熱拡散器を熱源に対して熱伝導関係で配置し、
（ｃ）前記熱源からの熱を、前記第１の平面状要素および前記第２の平面状要素へ伝導させ、さらに前記第１の平面状要素および前記第２の平面状要素から前記第３の平面状要素に伝導させ、
（ｄ）熱を前記熱拡散器を通して相対的に高い熱伝導度の方向に伝導させること、
を含む、方法。